【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光の一部を導光板から出射させるために、導光板の内部を全反射により伝播した光を偏向させる第２偏向手段、
を備えており、
第１偏向手段は、第１のホログラム回折格子及び第２のホログラム回折格子から構成されており、
第１のホログラム回折格子は、内部に第１の干渉縞が形成された第１の干渉縞形成領域を有し、
第２のホログラム回折格子は、内部に第２の干渉縞が形成された第２の干渉縞形成領域を有し、
第１のホログラム回折格子には、第１の干渉縞の延びる方向の第１の干渉縞形成領域の外側に、第１の干渉縞形成領域を挟むように対向して、第１Ａのアライメントマーク及び第１Ｂのアライメントマークが設けられており、
第２のホログラム回折格子には、第２の干渉縞の延びる方向の第２の干渉縞形成領域の外側に、第２の干渉縞形成領域を挟むように対向して、第２Ａのアライメントマーク及び第２Ｂのアライメントマークが設けられている光学装置の組立方法であって、
第１Ａのアライメントマーク及び第２Ａのアライメントマークを光学的に検出し、第１Ｂのアライメントマーク及び第２Ｂのアライメントマークを光学的に検出し、
第１Ａのアライメントマークと第１Ｂのアライメントマークとを結ぶ第１の直線を求め、第２Ａのアライメントマークと第２Ｂのアライメントマークとを結ぶ第２の直線を求め、
第１の直線及び第２の直線を仮想平面に射影したときの第１の直線と第２の直線との成す角度が規定値以内となるように、第１のホログラム回折格子と第２のホログラム回折格子との相対的な位置合わせを行う光学装置の組立方法。
【請求項２】
第１のホログラム回折格子が導光板に配された状態で、第１のホログラム回折格子と第２のホログラム回折格子との相対的な位置合わせを行い、第２のホログラム回折格子を導光板に配する請求項１に記載の光学装置の組立方法。
【請求項３】
第１のホログラム回折格子が導光板に配された状態で、第２のホログラム回折格子に対する導光板の相対的な移動を行う請求項２に記載の光学装置の組立方法。
【請求項４】
第１のホログラム回折格子を導光板に貼り合わせた後、又は、形成した後、第１のホログラム回折格子と第２のホログラム回折格子との相対的な位置合わせを行い、第２のホログラム回折格子を導光板に貼り合わせる請求項２又は請求項３に記載の光学装置の組立方法。
【請求項５】
第２のホログラム回折格子が支持体に支持された状態で、第１のホログラム回折格子と第２のホログラム回折格子との相対的な位置合わせを行う請求項１乃至請求項４のいずれか１項に記載の光学装置の組立方法。
【請求項６】
第１Ａのアライメントマーク及び第１Ｂのアライメントマークには、第１の干渉縞形成領域に設けられた干渉縞と同じ干渉縞が形成されており、
第２Ａのアライメントマーク及び第２Ｂのアライメントマークには、第２の干渉縞形成領域に設けられた干渉縞と同じ干渉縞が形成されており、
導光板の端面から導光板に光を入射させ、第１Ａのアライメントマーク及び第１Ｂのアライメントマークで回折反射された光を光学的に検出し、
支持体の端面から支持体に光を入射させ、第２Ａのアライメントマーク及び第２Ｂのアライメントマークで回折反射された光を光学的に検出する請求項５に記載の光学装置の組立方法。
【請求項７】
第１のホログラム回折格子と第２のホログラム回折格子との相対的な位置合わせが完了した状態において、第１Ａのアライメントマークと第２Ａのアライメントマークとが重ならないような形状を、第１Ａのアライメントマーク及び第２Ａのアライメントマークは有し、第１Ｂのアライメントマークと第２Ｂのアライメントマークとが重ならないような形状を、第１Ｂのアライメントマーク及び第２Ｂのアライメントマークは有する請求項６に記載の光学装置の組立方法。
【請求項８】
第１のホログラム回折格子と第２のホログラム回折格子との相対的な位置合わせが完了した状態において、第１Ａのアライメントマークと第２Ａのアライメントマークとが重ならないような位置に、第１Ａのアライメントマーク及び第２Ａのアライメントマークは配されており、第１Ｂのアライメントマークと第２Ｂのアライメントマークとが重ならないような位置に、第１Ｂのアライメントマーク及び第２Ｂのアライメントマークは配されている請求項６に記載の光学装置の組立方法。
【請求項９】
第１Ａのアライメントマーク及び第２Ａのアライメントマークを第１の撮像装置によって撮像し、第１Ｂのアライメントマーク及び第２Ｂのアライメントマークを第２の撮像装置によって撮像する請求項１乃至請求項８のいずれか１項に記載の光学装置の組立方法。
【請求項１０】
第１のホログラム回折格子は、導光板の第１面上に配され、
第２のホログラム回折格子は、導光板の第１面に対向する第２面上に配される請求項１乃至請求項９のいずれか１項に記載の光学装置の組立方法。
【請求項１１】
第１の干渉縞のピッチをＰ1、スラント角をφ1、第２の干渉縞のピッチをＰ2、スラント角をφ2としたとき、
Ｐ1≠Ｐ2  且つ  φ1＝φ2、又は、
Ｐ1＝Ｐ2  且つ  φ1≠φ2、又は、
Ｐ1≠Ｐ2  且つ  φ1≠φ2
を満足する請求項１乃至請求項１０のいずれか１項に記載の光学装置の組立方法。
【請求項１２】
第１Ａのアライメントマーク、第１Ｂのアライメントマーク、第２Ａのアライメントマーク及び第２Ｂのアライメントマークは、導光板の端部側に配される請求項１乃至請求項１１のいずれか１項に記載の光学装置の組立方法。
【請求項１３】
規定値の最大値は１００秒である請求項１乃至請求項１２のいずれか１項に記載の光学装置の組立方法。
【請求項１４】
第２偏向手段はホログラム回折格子から成る請求項１乃至請求項１３のいずれか１項に記載の光学装置の組立方法。
【請求項１５】
第２偏向手段の回折効率の値は、第１偏向手段の回折効率の値よりも低い請求項１４に記載の光学装置の組立方法。
【請求項１６】
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光の一部を導光板から出射させるために、導光板の内部を全反射により伝播した光を偏向させる第２偏向手段、
を備えており、
第１偏向手段は、第１のホログラム回折格子及び第２のホログラム回折格子から構成されており、
第１のホログラム回折格子は、内部に第１の干渉縞が形成された第１の干渉縞形成領域を有し、
第２のホログラム回折格子は、内部に第２の干渉縞が形成された第２の干渉縞形成領域を有し、
第１のホログラム回折格子には、第１の干渉縞の延びる方向の第１の干渉縞形成領域の外側に、第１の干渉縞形成領域を挟むように対向して、第１Ａのアライメントマーク及び第１Ｂのアライメントマークが設けられており、
第２のホログラム回折格子には、第２の干渉縞の延びる方向の第２の干渉縞形成領域の外側に、第２の干渉縞形成領域を挟むように対向して、第２Ａのアライメントマーク及び第２Ｂのアライメントマークが設けられている光学装置の組立方法であって、
第１Ａのアライメントマーク及び第１Ｂのアライメントマークには、第１の干渉縞形成領域に設けられた干渉縞と同じ干渉縞が形成されており、
第２Ａのアライメントマーク及び第２Ｂのアライメントマークには、第２の干渉縞形成領域に設けられた干渉縞と同じ干渉縞が形成されており、
第２のホログラム回折格子が支持体に支持された状態で、導光板の端面から導光板に光を入射させ、第１Ａのアライメントマーク及び第１Ｂのアライメントマークで回折反射された光を光学的に検出し、支持体の端面から支持体に光を入射させ、第２Ａのアライメントマーク及び第２Ｂのアライメントマークで回折反射された光を光学的に検出し、第１のホログラム回折格子と第２のホログラム回折格子との相対的な位置合わせを行う光学装置の組立方法。
【請求項１７】
内部に干渉縞が形成された干渉縞形成領域を有し、
干渉縞の延びる方向の干渉縞形成領域の外側に、干渉縞形成領域を挟むように対向して、２つのアライメントマークが設けられており、
各アライメントマークには、干渉縞形成領域に設けられた干渉縞と同じ干渉縞が形成されており、
各アライメントマークの平面形状は環状であるホログラム回折格子。
【請求項１８】
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光の一部を導光板から出射させるために、導光板の内部を全反射により伝播した光を偏向させる第２偏向手段、
を備えており、
第１偏向手段は、第１のホログラム回折格子及び第２のホログラム回折格子から構成されており、
第１のホログラム回折格子は、内部に第１の干渉縞が形成された第１の干渉縞形成領域を有し、
第２のホログラム回折格子は、内部に第２の干渉縞が形成された第２の干渉縞形成領域を有し、
第１のホログラム回折格子には、第１の干渉縞の延びる方向の第１の干渉縞形成領域の外側に、第１の干渉縞形成領域を挟むように対向して、第１Ａのアライメントマーク及び第１Ｂのアライメントマークが設けられており、
第２のホログラム回折格子には、第２の干渉縞の延びる方向の第２の干渉縞形成領域の外側に、第２の干渉縞形成領域を挟むように対向して、第２Ａのアライメントマーク及び第２Ｂのアライメントマークが設けられており、
第１Ａのアライメントマーク及び第１Ｂのアライメントマークには、第１の干渉縞形成領域に設けられた干渉縞と同じ干渉縞が形成されており、
第２Ａのアライメントマーク及び第２Ｂのアライメントマークには、第２の干渉縞形成領域に設けられた干渉縞と同じ干渉縞が形成されており、
第１のホログラム回折格子と第２のホログラム回折格子との相対的な位置合わせが完了した状態において、第１Ａのアライメントマークと第２Ａのアライメントマークとが重ならないような形状を、第１Ａのアライメントマーク及び第２Ａのアライメントマークは有し、第１Ｂのアライメントマークと第２Ｂのアライメントマークとが重ならないような形状を、第１Ｂのアライメントマーク及び第２Ｂのアライメントマークは有し、又は、
第１のホログラム回折格子と第２のホログラム回折格子との相対的な位置合わせが完了した状態において、第１Ａのアライメントマークと第２Ａのアライメントマークとが重ならないような位置に、第１Ａのアライメントマーク及び第２Ａのアライメントマークは配されており、第１Ｂのアライメントマークと第２Ｂのアライメントマークとが重ならないような位置に、第１Ｂのアライメントマーク及び第２Ｂのアライメントマークは配されている光学装置。
【請求項１９】
（イ）観察者の頭部に装着されるフレーム、及び、
（ロ）フレームに取り付けられた画像表示装置、
を備えており、
画像表示装置は、
（Ａ）画像形成装置、及び、
（Ｂ）画像形成装置から出射された光が入射され、出射される光学装置、
を備えており、
光学装置は、
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光の一部を導光板から出射させるために、導光板の内部を全反射により伝播した光を偏向させる第２偏向手段、
を備えており、
第１偏向手段は、第１のホログラム回折格子及び第２のホログラム回折格子から構成されており、
第１のホログラム回折格子は、内部に第１の干渉縞が形成された第１の干渉縞形成領域を有し、
第２のホログラム回折格子は、内部に第２の干渉縞が形成された第２の干渉縞形成領域を有し、
第１のホログラム回折格子には、第１の干渉縞の延びる方向の第１の干渉縞形成領域の外側に、第１の干渉縞形成領域を挟むように対向して、第１Ａのアライメントマーク及び第１Ｂのアライメントマークが設けられており、
第２のホログラム回折格子には、第２の干渉縞の延びる方向の第２の干渉縞形成領域の外側に、第２の干渉縞形成領域を挟むように対向して、第２Ａのアライメントマーク及び第２Ｂのアライメントマークが設けられており、
第１Ａのアライメントマーク及び第１Ｂのアライメントマークには、第１の干渉縞形成領域に設けられた干渉縞と同じ干渉縞が形成されており、
第２Ａのアライメントマーク及び第２Ｂのアライメントマークには、第２の干渉縞形成領域に設けられた干渉縞と同じ干渉縞が形成されており、
第１のホログラム回折格子と第２のホログラム回折格子との相対的な位置合わせが完了した状態において、第１Ａのアライメントマークと第２Ａのアライメントマークとが重ならないような形状を、第１Ａのアライメントマーク及び第２Ａのアライメントマークは有し、第１Ｂのアライメントマークと第２Ｂのアライメントマークとが重ならないような形状を、第１Ｂのアライメントマーク及び第２Ｂのアライメントマークは有し、又は、
第１のホログラム回折格子と第２のホログラム回折格子との相対的な位置合わせが完了した状態において、第１Ａのアライメントマークと第２Ａのアライメントマークとが重ならないような位置に、第１Ａのアライメントマーク及び第２Ａのアライメントマークは配されており、第１Ｂのアライメントマークと第２Ｂのアライメントマークとが重ならないような位置に、第１Ｂのアライメントマーク及び第２Ｂのアライメントマークは配されている表示装置。
【請求項２０】
Ｘ方向、Ｙ方向及びＺ方向に移動可能であり、且つ、ＸＹ平面内において回動可能であるステージ、
ステージに載置され、第１のホログラム回折格子が配された導光板の端面から、導光板に光を入射させるための第１の光源、
第１のホログラム回折格子の上方において第２のホログラム回折格子を支持する支持体の端面から、支持体に光を入射させるための第２の光源、
第１の光源から入射され、第１のホログラム回折格子に設けられた第１Ａのアライメントマークによって回折反射された光に基づく第１Ａのアライメントマークの光学像、及び、第２の光源から入射され、第２のホログラム回折格子に設けられた第２Ａのアライメントマークによって回折反射された光に基づく第２Ａのアライメントマークの光学像を検出する第１の撮像装置、並びに、
第１の光源から入射され、第１のホログラム回折格子に設けられた第１Ｂのアライメントマークによって回折反射された光に基づく第１Ｂのアライメントマークの光学像、及び、第２の光源から入射され、第２のホログラム回折格子に設けられた第２Ｂのアライメントマークによって回折反射された光に基づく第２Ｂのアライメントマークの光学像を検出する第２の撮像装置を備えているアライメント装置。
【手続補正２】
【補正対象書類名】明細書
【補正対象項目名】０００２
【補正方法】変更
【補正の内容】
【０００２】
画像形成装置によって形成された２次元画像を虚像光学系により拡大虚像として観察者に観察させるために、ホログラム回折格子を用いた虚像表示装置（画像表示装置）が周知である。概念図を図１に示すように、この画像表示装置１００は、基本的には、画像を表示する画像形成装置１１１と、コリメート光学系１１２と、画像形成装置１１１に表示された光が入射され、観察者の瞳２１へと導く光学装置（導光手段）１２０とを備えている。光学装置１２０は、導光板１２１と、導光板１２１に設けられたホログラム回折格子から成る第１の回折格子部材１３０及び第２の回折格子部材１４０を備えている。そして、コリメート光学系１１２には画像形成装置１１１の各画素から出射された光が入射され、コリメート光学系１１２によって導光板１２１へ入射する角度の異なる複数の平行光が生成され、導光板１２１に入射される。導光板１２１の第２面１２３から、平行光が入射され、出射される。そして、導光板１２１の第１面１２２に、第１の回折格子部材１３０を構成する第１のホログラム回折格子１３１、及び、第２の回折格子部材１４０が取り付けられている。一方、導光板１２１の第１面１２２と平行である導光板１２１の第２面１２３に、第１の回折格子部材１３０を構成する第２のホログラム回折格子１３５が取り付けられている。以上の説明した画像表示装置１００の詳細は、実施例１において説明する。